(57)【要約】【課題】隣接する板状体の間から板状体の端部に沿って棒状体を突出して機能部として機能を発揮しつつ、隣接する板状体どうしを容易に連結することができる連結部材を提供する。【解決手段】隣接する第１メインフレーム（第１板状体）３Ａと第２メインフレーム（第２板状体）３Ｂとをそれぞれの端部どうしを対向させて連結する連結部材１０において、第１メインフレーム３Ａと第２メインフレーム３Ｂとの間に第１メインフレーム３Ａの端部および第２メインフレーム３Ｂの端部に沿って延在し、第１メインフレーム３Ａおよび第２メインフレーム３Ｂから延在方向に突出して所定の機能部を有する棒状体１０１と、棒状体１０１および第１メインフレーム３Ａに接続される第１接続部１０５と、棒状体１０１および第２メインフレーム３Ｂに接続される第２接続部１０６と、を有する。【選択図】図３
2017218861.tif 000002
【特許請求の範囲】
【請求項１】
隣接する第１板状体と第２板状体とをそれぞれの端部どうしを対向させて連結する連結部材において、
前記第１板状体と前記第２板状体との間に前記第１板状体の端部および前記第２板状体の端部に沿って延在し、前記第１板状体および前記第２板状体から延在方向に突出して所定の機能部を有する棒状体と、
前記棒状体および前記第１板状体に接続される第１接続部と、
前記棒状体および前記第２板状体に接続される第２接続部と、を有することを特徴とする連結部材。
【請求項２】
前記棒状体は、筒状に形成されていることを特徴とする請求項１に記載の連結部材。
【請求項３】
前記棒状体は、上下方向に延在し上下方向に貫通する空部が形成されていることを特徴とする請求項２に記載の連結部材。
【請求項４】
前記第１接続部は、前記棒状体に延在方向の異なる２つ以上の位置にそれぞれ設けられていて、
前記第２接続部は、前記棒状体の延在方向の異なる２つ以上の位置にそれぞれ設けられていることを特徴とする請求項１乃至３のいずれか一項に記載の連結部材。
【請求項５】
前記第１板状体には、前記第２板状体と対向する端部に該第２板状体側に開口する第１溝部が形成され、
前記第２板状体には、前記第１板状体と対向する端部に該第１板状体側に開口する第２溝部が形成され、
前記棒状体は、対向配置された前記第１溝部および前記第２溝部に配置されていることを特徴とする請求項１乃至３のいずれか一項に記載の連結部材。
【発明の詳細な説明】
【技術分野】
【０００１】
本発明は、間仕切りパネルなどの板状体どうしをそれぞれの端部を対向させて連結する連結部材に関する。
【背景技術】
【０００２】
従来、隣接する間仕切り板などのパネル（板状体）の間に、パネルの面から突出して棚などの物品を取り付け可能な機能部を設けることがある。このような機能部を設ける場合、隣接するパネルの上端部どうしや下端部どうしを連結している（例えば、特許文献１参照）。
ところで、隣接するパネルの間に、パネルの端部に沿う方向にパネルから突出する機能部を設けることがある。このような機能部は、パネルを支持する脚部や照明を支持する支柱を構成する部材など、また、これらの脚部や支柱などを支持する部材として使用されている。
【先行技術文献】
【特許文献】
【０００３】
【特許文献１】特開２０１５−０８６６４８号公報
【発明の概要】
【発明が解決しようとする課題】
【０００４】
しかしながら、機能部が隣り合うパネルの端部に沿う方向に突出していて、機能部が突出している側のパネルの端部どうし（例えば、機能部がパネルの上方に突出している場合は、パネルの上端部どうし、機能部がパネルの下方に突出している場合は、パネルの下端部どうし）を連結しようとすると、連結部材と機能部とが干渉してしまい隣り合うパネルどうしを連結することが困難である。
【０００５】
そこで、本発明は、隣接する板状体の間から板状体の端部に沿って棒状体を突出して機能部として機能を発揮しつつ、隣接する板状体どうしを容易に連結することができる連結部材を提供することを目的とする。
【課題を解決するための手段】
【０００６】
上記目的を達成するため、本発明に係る連結部材は、隣接する第１板状体と第２板状体とをそれぞれの端部どうしを対向させて連結する連結部材において、前記第１板状体と前記第２板状体との間に前記第１板状体の端部および前記第２板状体の端部に沿って延在し、前記第１板状体および前記第２板状体から延在方向に突出して所定の機能部を有する棒状体と、前記棒状体および前記第１板状体に接続される第１接続部と、前記棒状体および前記第２板状体に接続される第２接続部と、を有することを特徴とする。
【０００７】
本発明では、連結部材が所定の機能部を有する棒状体を有しており、第１接続部が棒状体および第１板状体に接続され、第２接続部が棒状体および第２板状体と接続されている。これにより、隣接する板状体の間から板状体の端部に沿って棒状体を突出して機能部として機能を発揮しつつ、第１板状体と第２板状体とを容易に連結することができる。
【０００８】
また、本発明に係る連結部材では、前記棒状体は、筒状に形成されていることが好ましい。
このような構成とすることにより、棒状体の内部に他の部材を挿通させて使用することができる。例えば、棒状体の内部に配線ケーブルや、脚部や支柱を挿通させることができる。
【０００９】
また、本発明に係る連結部材では、前記棒状体は、上下方向に延在し上下方向に貫通する空部が形成されていることが好ましい。
このような構成とすることにより、棒状体に挿通された支柱などの部材を床面に立設させることができ、棒状体に挿通された部材の荷重を連結部材ではなく床面が負担することができる。
【００１０】
また、本発明に係る連結部材では、前記第１接続部は、前記棒状体に延在方向の異なる２つ以上の位置にそれぞれ設けられていて、前記第２接続部は、前記棒状体の延在方向の異なる２つ以上の位置にそれぞれ設けられていることが好ましい。
このような構成とすることにより、第１板状体および第２板状体がそれぞれ棒状体の延在方向の異なる２つ以上の位置に連結されるため、第１板状体および第２板状体をそれぞれ棒状体と確実に連結することができる。その結果、第１板状体と第２板状体とを連結部材を介して確実に連結することができる。
また、棒状体が延在方向の異なる２つ以上の位置で第１接続部および第２接続部を介して第１板状体および第２板状体と接続されるため、棒状体が第１板状体および第２板状体と位置ずれしたり、第１板状体および第２板状体に対してねじれた状態で配置されたりすることを防止できる。
【００１１】
また、本発明に係る連結部材では、前記第１板状体には、前記第２板状体と対向する端部に該第２板状体側に開口する第１溝部が形成され、前記第２板状体には、前記第１板状体と対向する端部に該第１板状体側に開口する第２溝部が形成され、前記棒状体は、対向配置された前記第１溝部および前記第２溝部に配置されていることが好ましい。
このような構成とすることにより、第１溝部と第２溝部とが合わさった空部の中に棒状体が配置されるため、棒状体が露出せずに意匠性を向上させることができる。
【発明の効果】
【００１２】
本発明によれば、隣接する板状体の間から突出する棒状体を設けつつも隣接する板状体どうしを容易に連結することができる。
【図面の簡単な説明】
【００１３】
【図１】本発明の第１実施形態による連結部材によって連結された配線収容什器の一例を示す斜視図である。
【図２】配線収容什器をＸ方向から見た図である。
【図３】連結部材で連結された第１メインフレームおよび第２メインフレームを説明する図である。
【図４】隣り合う第１仕切り板および第２仕切り板それぞれの溝部に配置された棒状体を説明する図である。
【図５】第２実施形態による連結部材で連結された第１仕切り板および第２仕切り板を示す斜視図である。
【図６】第２実施形態による連結部材を示す分解斜視図である。
【図７】第３実施形態による連結部材で連結された第１仕切り板および第２仕切り板を示す斜視図である。
【図８】第３実施形態による連結部材を示す分解斜視図である。
【発明を実施するための形態】
【００１４】
（第１実施形態）
以下、本発明の第１実施形態による連結部材について、図１乃至図４に基づいて説明する。
図１に示すように、第１実施形態による連結部材１０は、隣接して配置された配線ケーブルを収容可能な配線収容什器１，１のメインフレーム（板状体）３，３どうしを連結している。
本実施形態では、３つの配線収容什器１，１，１が床面１１に第１水平方向（Ｘ方向とする）に直列に並んで配列されている。３つの配線収容什器１，１，１のうちのＸ方向一方側の端部に配置された配線収容什器１のＸ方向に直交する第２水平方向（Ｙ方向とする）の一方側に棚１２が隣接して設けられていて、配列の中央部に配置された配線収容什器１のＹ方向一方側に机１３が隣接して設けられている。
【００１５】
本実施形態では、配線収容什器１，１，１のそれぞれ上部に、仕切り板１４，１４…が立設している。
仕切り板１４，１４…は、板面がＹ方向を向くように配置され、配線収容什器１，１，１のＹ方向一方側と他方側とを間仕切るように構成されている。本実施形態では、配線収容什器１，１，１のそれぞれ上部に２枚の仕切り板１４，１４がＸ方向に並んで配置されている。
【００１６】
３つの配線収容什器１，１，１は、配置位置が異なる点を除いて、互いに同一の形状を有している。以下では１つの配線収容什器１について説明し、他の配線収容什器１，１は、説明した配線収容什器１と同様の形態であるものとする。
配線収容什器１は、Ｘ方向に延在する長尺に形成されている。図２に示すように、配線収容什器１は、床面１１に設置されるベース部材２と、ベース部材２に支持されたメインフレーム３と、メインフレーム３のＹ方向一方側に設けられた第１配線収容部４Ａと、メインフレーム３のＹ方向の他方側に設けられた第２配線収容部４Ｂと、メインフレーム３の上側に設けられて仕切り板１４を支持可能な仕切り板支持部材８と、を有している。
【００１７】
ベース部材２は、Ｙ方向に延在し床面１１と当接する床面当接部２１と、床面当接部２１から立設しメインフレーム３と連結されるメインフレーム連結部２２と、を有している。本実施形態では、床面当接部２１に高さの微調整を可能なアジャスタが設けられていて、ベース部材２に支持されたメインフレーム３の高さや水平を調整できるように構成されている。
【００１８】
図２および図３に示すように、メインフレーム３は、Ｙ方向から見てＸ方向に長いロの字形状に形成され、内部にＹ方向に貫通する開口部３１が形成されている。開口部３１は、第１配線収容部４Ａと第２配線収容部４Ｂとを連通させている。
メインフレーム３は、開口部３１の上側に配置されＸ方向に延在する上枠３２と、開口部３１の下側に配置されＸ方向に延在する下枠３３と、開口部３１のＸ方向の両側に配置され上下方向に延在する一対の縦枠３４，３４と、を有している。一対の縦枠３４，３４の一方は、上枠３２および下枠３３それぞれのＸ方向一方側の端部と連結され、他方は上枠３２および下枠３３それぞれのＸ方向の他方側の端部と連結されている。
【００１９】
Ｘ方向に隣り合うメインフレーム３，３は、連結部材１０で連結されている。連結部材１０で連結されたメインフレーム３，３のうちＸ方向一方側のメインフレーム３を第１メインフレーム３とし、Ｘ方向他方側のメインフレーム３を第２メインフレーム３Ｂとする。第１メインフレーム３Ａと第２メインフレーム３Ｂとは、Ｘ方向に隣り合う第１メインフレーム３Ａの第１縦枠３４Ａと、第２メインフレーム３Ｂの第２縦枠３４Ｂとが連結されている。
【００２０】
連結部材１０は、第１縦枠３４Ａと第２縦枠３４Ｂとの間に上下方向に延在するように配置される筒状の棒状体１０１と、棒状体１０１に接続された棒状体接続プレート１０２と、棒状体接続プレート１０２と接続されて第１縦枠３４Ａおよび第２縦枠３４Ｂに接続される縦枠接続プレート１０３と、を有している。
【００２１】
棒状体１０１は、鋼製の部材で、下端部が第１縦枠３４Ａおよび第２縦枠３４Ｂの下端部よりもやや上側に配置され、上端部が第１縦枠３４Ａおよび第２縦枠３４Ｂの上端部よりも上方に突出している。棒状体１０１のうちの第１縦枠３４Ａおよび第２縦枠３４Ｂの上端部よりも上方の部分は、隣り合う配線収容什器１，１の上部の仕切り板１４，１４の間に配置され、さらに上側の部分はこれらの仕切り板１４，１４の上端部よりも上方に突出している。本実施形態では、図１に示すように、棒状体１０１は、上端部に照明器具１６が設けられ、内部に照明器具１６のケーブルを挿通され、照明器具６を支持する機能と照明器具１６のケーブルを挿通させる機能とを有する機能部として使用される。
【００２２】
図３に戻り、棒状体接続プレート１０２は、棒状体１０１が挿通される孔部１０２ａが形成された鋼板で、板面が上下方向を向く向きで第１縦枠３４Ａと第２縦枠３４Ｂとの間に配置される。棒状体１０１と棒状体接続プレート１０２とは、棒状体１０１が棒状体接続プレート１０２の孔部１０２ａを挿通した状態で溶接されている。
本実施形態では、棒状体接続プレート１０２は、板面が正方形状に形成され、中央部に孔部１０２ａが形成されている。本実施形態では、上下に配置された２枚の棒状体接続プレート１０２，１０２に対して、Ｙ方向の両側それぞれに縦枠接続プレート１０３が接続されている。
【００２３】
縦枠接続プレート１０３は、板面がＹ方向を向く向きに配置される。縦枠接続プレート１０３は、２枚の棒状体接続プレート１０２，１０２それぞれに溶接されている。縦枠接続プレート１０３は、棒状体接続プレート１０２，１０２よりもＸ方向の大きさが大きく形成され、棒状体接続プレート１０２のＸ方向の両側それぞれに突出している。
【００２４】
２枚の棒状体接続プレート１０２，１０２のＹ方向一方側に溶接された縦枠接続プレート１０３は、第１縦枠３４Ａおよび第２縦枠３４ＢよりもＹ方向一方側に配置されている。この縦枠接続プレート１０３の２枚の棒状体接続プレート１０２，１０２よりもＸ方向一方側に突出する部分は、第１縦枠３４ＡのＹ方向一方側の面と当接し、第１縦枠３４Ａにボルトなどの固定具１０４で固定されている。一方、この縦枠接続プレート１０３の２枚の棒状体接続プレート１０２，１０２よりもＸ方向の他方側に突出する部分は、第２縦枠３４ＢのＹ方向一方側の面と当接し、第２縦枠３４Ｂにボルトなどの固定具１０４で固定されている。
【００２５】
棒状体接続プレート１０２，１０２のＹ方向他方側に溶接された縦枠接続プレート１０３は、第１縦枠３４Ａおよび第２縦枠３４ＢよりもＹ方向の他方側に配置されている。この縦枠接続プレート１０３の２枚の棒状体接続プレート１０２，１０２よりもＸ方向一方側に突出する部分は、第１縦枠３４ＡのＹ方向他方側の面と当接し、第１縦枠３４Ａにボルトなどの固定具１０４で固定されている。一方、この縦枠接続プレート１０３の２枚の棒状体接続プレート１０２，１０２よりもＸ方向の他方側に突出する部分は、第２縦枠３４ＢのＹ方向他方側の面と当接し、第２縦枠３４Ｂにボルトなどの固定具１０４で固定されている。
ここで、縦枠接続プレート１０３のうちの第１縦枠３４Ａに接続される部分を第１接続部１０５とし、第２縦枠３４Ｂに接続される部分を第２接続部１０６とする。
【００２６】
これらの２枚の棒状体接続プレート１０２，１０２、および２枚の縦枠接続プレート１０３，１０３を連結部１０７とすると、本実施形態では、１つの棒状体１０１に対して２つの連結部１０７，１０７が上下方向に間隔をあけて設けられている。２つの連結部１０７，１０７のうちの下側に配置された連結部１０７Ａは、棒状体１０１の下端部近傍に設けられていて、第１縦枠３４Ａおよび第２縦枠３４Ｂの下部側に接続されている。２つの連結部１０７，１０７のうちの上側に配置された連結部１０７Ｂは、棒状体１０１の下端部よりもやや上側に設けられていて、第１縦枠３４Ａおよび第２縦枠３４Ｂの上部側に接続されている。
【００２７】
連結部材１０を用いて第１メインフレーム３Ａと第２メインフレーム３Ｂとを連結する方法について説明する。
第１メインフレーム３Ａの第１縦枠３４Ａと第２メインフレーム３Ｂの第２縦枠３４Ｂとの間に連結部材１０を配置する。このとき、第１縦枠３４Ａと第２縦枠３４Ｂとの間に棒状体１０１および２つの棒状体接続プレート１０２，１０２を配置し、２つの縦枠接続プレート１０３，１０３それぞれの第１接続部１０５，１０５の間に第１縦枠３４Ａを配置し、２つの縦枠接続プレート１０３，１０３それぞれの第２接続部１０６，１０５の間に第２縦枠３４Ｂと配置する。
第１接続部１０５，１０５をそれぞれ固定具１０４で第１縦枠３４Ａに固定し、第２接続部１０６，１０６をそれぞれ固定具１０４で第２縦枠３４Ｂに固定する。
このようにして第１縦枠３４Ａと第２縦枠３４Ｂとが連結部材１０を介して連結され、第１メインフレーム３Ａと第２メインフレーム３Ｂとが連結される。このとき、棒状体１０１の上部側は、第１メインフレーム３Ａおよび第２メインフレーム３Ｂよりも上方に突出している。
【００２８】
図１および図２に示すように、第１配線収容部４Ａは、上部に配置される上面パネル４１と、上面パネル４１と接続されＹ方向一方側に配置される側面パネル４２と、を有している。上面パネル４１および側面パネル４２は一体に形成され、メインフレーム３に着脱可能に構成されている。
第２配線収容部４Ｂは、上部に配置される上面パネル４１と、上面パネル４１と接続されＹ方向他方側に配置される側面パネル４２と、を有している。上面パネル４１および側面パネル４２は一体に形成され、メインフレーム３に着脱可能に構成されている。
【００２９】
仕切り板支持部材８は、鋼板や樹脂製の板材などで形成された長尺の部材で、メインフレーム３の上端部に沿ってＸ方向に延在する向きでメインフレーム３の上端部に固定されている。仕切り板支持部材８には、上方に開口しＸ方向に延びる仕切り板支持用溝部８１が形成されている。仕切り板支持用溝部８１は、仕切り板１４を固定可能なされる固定部材８２を内部に配置可能に構成されている。
【００３０】
図１および図４に示すように、仕切り板１４は、パネル基材１４１と、パネル基材１４１の両面に沿って設けられたクッション材１４２と、パネル基材１４１およびクッション材１４２を覆う表皮材１４３と、クッション材１４２および表皮材１４３をパネル基材１４１に固定する固定部材１４４と、を備えている。
【００３１】
パネル基材１４１は、所定の強度を有する平板状の芯材１４１ａと、芯材１４１ａの外周部に沿って設けられたフレーム１５と、を備えている。
芯材１４１ａは、板面が長方形に形成されている。
フレーム１５は、芯材１４１ａの外周部に沿って設けられると芯材１４１ａ側に窪んで外側に開口する溝部１５１が全周にわたって形成されている。
【００３２】
クッション材１４２は、パネル基材１４１の表面に沿って芯材１４１ａの全体を覆うように設けられている。また、クッション材１４２は、その外周端部が、フレーム１５の溝部１５１の側壁部１５２を覆うように設けられている。つまり、クッション材１４２は、芯材１４１ａおよびフレーム１５を覆うように設けられている。
このクッション材１４２は、柔軟性および弾性を有した材料、例えば発泡ウレタン材等から形成されている。
【００３３】
表皮材１４３は、クッション材１４２の全体を覆うよう設けられている。
クッション材１４２および表皮材１４３は、パネル基材１４１よりも大きな外形寸法を有している。そして、クッション材１４２および表皮材１４３は、その外周端部が、パネル基材１４１の外周縁部、つまりフレーム１５の溝部１５１の側壁部１５２を回り込んで、溝部１５１の内側に巻き込まれている。このクッション材１４２および表皮材１４３の外周端部が、フレーム１５の溝部１５１の側壁部１５２を回り込む部分で、クッション材１４２が表皮材１４３によって圧縮される。これにより、仕切り板１４は、外周端部に向かうにしたがって、その厚みが漸次小さくするように形成されている。また、仕切り板１４は、外周端部においてクッション材１４２および表皮材１４３がフレーム１５の溝部１５１の側壁部１５２を回り込む部分で、丸く円弧状に形成されている。
【００３４】
固定部材１４４は、溝部１５１に嵌め込まれている。固定部材１４４は、溝部１５１の内側に巻き込まれたクッション材１４２および表皮材１４３の外周端部を、溝部１５１の内周面と固定部材１４４の外周面との間に挟み込んでいる。これにより、クッション材１４２および表皮材１４３の外周端部をフレーム１５の溝部１５１の側壁部１５２に固定している。
【００３５】
このような仕切り板１４は、図２に示すように、仕切り板支持部材８の仕切り板支持用溝部８１に設けられた固定部材８２に固定され配線収容什器１の上部に立設している。
図４に示すように、Ｘ方向に隣り合う仕切り板１４，１４は、互いに対向する端部それぞれに形成された溝部１５１，１５１の中に棒状体１０１が配置されている。Ｘ方向に隣り合う仕切り板１４，１４のうち、Ｘ方向一方側の仕切り板１４を第１仕切り板１４Ａとし、Ｘ方向他方側の仕切り板１４を第２仕切り板１４Ｂとする。第１仕切り板１４Ａに形成された溝部１５１を第１溝部１５１Ａとし、第２仕切り板１４Ｂに形成された溝部１５１を第２溝部１５１Ｂとする。
【００３６】
棒状体１０１は、第１溝部１５１Ａおよび第２溝部１５１Ｂのそれぞれの中に配置され、第１仕切り板１４Ａと第２仕切り板１４Ｂとが位置ずれすることを防止している。棒状体１０１の上端部は、第１仕切り板１４Ａおよび第２仕切り板１４Ｂの上端部よりも上側配置され、棒状体１０１の上端部に設けられた照明器具１６は、第１仕切り板１４Ａおよび第２仕切り板１４Ｂよりも上側に配置されている。
【００３７】
次に、上述した第１実施形態による連結部材１０の作用・効果について図面を用いて説明する。
第１実施形態による連結部材１０では、第１接続部１０５が棒状体接続プレート１０２を介して棒状体１０１に接続されるとともに、第１メインフレーム３Ａの第１縦枠３４Ａに接続され、第２接続部１０６が棒状体接続プレート１０２を介して棒状体１０１に接続されるとともに、第２メインフレーム３Ｂの第２縦枠３４Ｂに接続される。隣接する第１メインフレーム３Ａと第２メインフレーム３Ｂとの間に連結部材１０を設け第１メインフレーム３Ａおよび第２メインフレーム３Ｂに接続することにより、隣接する第１メインフレーム３Ａと第２メインフレーム３Ｂとの間から突出する棒状体１０１を設けつつも隣接する第１メインフレーム３Ａと第２メインフレーム３Ｂとを容易に連結することができる。
【００３８】
また、棒状体１０１は、筒状に形成されていることにより、棒状体１０１の内部に他の部材（本実施形態では配線ケーブル）を挿通させて使用することができる。
また、１つの棒状体１０１に対して２つの連結部１０７，１０７が上下方向に間隔をあけて設けられている。これにより、第１メインフレーム３Ａと第２メインフレーム３Ｂとが棒状体１０１の異なる２つの位置に連結されるため、第１メインフレーム３Ａと第２メインフレーム３Ｂとを確実に連結することができる。また、棒状体１０１が延在方向の異なる２つ以上の位置で第１メインフレーム３Ａおよび第２メインフレーム３Ｂと接続されるため、棒状体１０１が第１メインフレーム３Ａおよび第２メインフレーム３Ｂに対して位置ずれしたり、ねじれた状態に配置されたりすることを防止できる。
【００３９】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図５に示すように、第２実施形態による連結部材２０は、Ｘ方向に隣り合う仕切り板１４，１４の上端部どうしを連結している。第１実施形態と同様に、Ｘ方向に隣り合う仕切り板１４，１４のうちのＸ方向一方側に配置された仕切り板１４を第１仕切り板１４Ａとし、Ｘ方向他方側に配置された仕切り板１４を第２仕切り板１４Ｂとする。
第１仕切り板１４Ａおよび第２仕切り板１４Ｂは、下部に床面に設置される接地部材１７が取り付けられている。接地部材１７が床面１１に設置されることによって、第１仕切り板１４Ａおよび第２仕切り板１４Ｂが床面１１に立設している。
第１仕切り板１４Ａの上縁部に形成された溝部１５１には、後述する第１固定具２０４が螺合可能な孔部１５３が形成され、第２仕切り板１４Ｂの上縁部に形成された溝部１５１には、後述する第２固定具２０７が螺合可能な孔部１５３が形成されている。
【００４０】
図５および図６に示すように、連結部材２０は、第１仕切り板１４Ａと第２仕切り板１４Ｂとの間に配置され上下方向に延在するように配置される筒状の棒状体２０１と、棒状体２０１から第１仕切り板１４Ａ側（Ｘ方向一方側）に突出する第１突出部２０２と、第１突出部２０２を第１仕切り板１４Ａの上端部に固定する第１押さえ板２０３および第１固定具２０４と、棒状体２０１から第２仕切り板１４Ｂ側（Ｘ方向他方側）に突出する第２突出部２０５と、第２突出部２０５を第２仕切り板１４Ｂの上端部に固定する第２押さえ部２０６および第２固定具２０７と、を有している。
第１突出部２０２、第１押さえ板２０３および第１固定具２０４が第１接続部２０８に相当し、第２突出部２０５、第２押さえ部２０６および第２固定具２０７が第２接続部２０９に相当している。
【００４１】
棒状体２０１は、鋼製の部材で、Ｘ方向に隣り合う第１仕切り板１４Ａの第１溝部１５１Ａと第２仕切り板１４Ｂの第２溝部１５１Ｂとの間に配置されている。
棒状体２０１は、下端部が第１仕切り板１４Ａおよび第２仕切り板１４Ｂの上端部よりも下側に配置され、上端部が第１仕切り板１４Ａおよび第２仕切り板１４Ｂの上端部よりも上方に突出するように配置されている。棒状体２０１の下端部は、第１仕切り板１４Ａおよび第２仕切り板１４Ｂの下端部よりも上側に配置されている。
【００４２】
第２実施形態においても、第１実施形態と同様に棒状体２０１は、上端部に照明器具１６が設けられ、内部に照明器具１６のケーブルが挿通されていて、照明器具６を支持する機能と照明器具１６のケーブルを挿通させる機能とを有する機能部として使用される。
第２実施形態では、棒状体２０１の下端部が第１仕切り板１４Ａおよび第２仕切り板１４Ｂの下端部まで達していないため、照明器具１６のケーブルは、棒状体２０１の下端部から出ると、第１溝部１５１Ａと第２溝部１５１Ｂとの間を通って第１仕切り板１４Ａおよび第２仕切り板１４Ｂの下側に引き出されるように構成されている。
【００４３】
第１突出部２０２は、棒状体２０１からＸ方向一方側に延びる第１水平部２０２ａと、第１水平部２０２ａのＸ方向一方側の端部に接続されＸ方向一方側に向かって漸次上側に向かう方向に傾斜して延びる傾斜部２０２ｂと、傾斜部２０２ｂのＸ方向一方側の端部に接続されＸ方向一方側に延びる第２水平部２０２ｃと、を有している。第１突出部２０２は、第１水平部２０２ａのＸ方向他方側の端部が棒状体２０１に溶接されている。
第１突出部２０２は、延在方向に直交する断面形状が上側に開口するＵ字状に形成され、第１水平部２０２ａ、傾斜部２０２ｂおよび第２水平部２０２ｃ全体にそれぞれ延在方向に沿って下側に窪み上側に開口する溝部２０２ｄが形成されている。
第２水平部２０２ｃには、第１固定具２０４が挿通される孔部２０２ｅが形成されている。
【００４４】
第１押さえ板２０３は、第１突出部２０２の溝部２０２ｄの内部に配置可能に構成されている。第１押さえ板２０３は、溝部２０２ｄに配置されると、第１水平部２０２ａの溝部２０２ｄに配置される平板状の第１水平板部２０３ａと、第１水平板部２０３ａのＸ方向一方側の端部と接続され傾斜部２０２ｂの溝部２０２ｄに配置される平板状の傾斜板部２０３ｂと、傾斜板部２０３ｂのＸ方向一方側の端部と接続され第２水平部２０２ｃの溝部２０２ｄ配置される平板状の第２水平板部２０３ｃと、を有している。
第２水平板部２０３ｃには、第１固定具２０４が挿通される孔部２０３ｅが形成されている。
【００４５】
第２突出部２０５は、棒状体２０１からＸ方向他方側に延びる第１水平部２０５ａと、第１水平部２０５ａのＸ方向他方側の端部に接続されＸ方向一方側に向かって漸次上側に向かう方向に傾斜して延びる傾斜部２０５ｂと、傾斜部２０５ｂのＸ方向他方側の端部に接続されＸ方向の他方側に延びる第２水平部２０５ｃと、を有している。第２突出部２０５は、第１水平部２０５ａのＸ方向一方側の端部が棒状体２０１に溶接されている。
第２突出部２０５は、延在方向に直交する断面形状が上側に開口するＵ字状に形成され、第１水平部２０５ａ、傾斜部２０５ｂおよび第２水平部２０５ｃ全体にそれぞれ延在方向に沿って下側に窪み上側に開口する溝部２０５ｄが形成されている。
第２水平部２０５ｃには、第２固定具２０７が挿通される孔部２０５ｅが形成されている。
【００４６】
第２押さえ板２０６は、第２突出部２０５の溝部２０５ｄの内部に配置可能に構成されている。第２押さえ板２０６は、溝部２０５ｄに配置されると、第１水平部２０５ａの溝部２０５ｄに配置される平板状の第１水平板部２０６ａと、第１水平板部２０６ａのＸ方向他方側の端部と接続され傾斜部２０５ｂの溝部２０５ｄに配置される平板状の傾斜板部２０６ｂと、傾斜板部２０６ｂのＸ方向一方側の端部と接続され第２水平部２０５ｃの溝部２０５ｄ配置される平板状の第２水平板部２０６ｃと、を有している。
第２水平板部２０６ｃには、第２固定具２０７が挿通される孔部２０６ｅが形成されている。
【００４７】
連結部材２０を用いてＸ方向に隣り合う第１仕切り板１４Ａと第２仕切り板１４Ｂとを連結する方法について説明する。
隣り合う第１仕切り板１４Ａと第２仕切り板１４Ｂとの間に連結部材２０を配置する。このとき、隣り合う第１仕切り板１４Ａおよび第２仕切り板１４Ｂのそれぞれ対向する端部に形成された溝部１５１を突き合わせるように配置し、第１仕切り板１４Ａの溝部１５１と第２仕切り板１４Ｂの溝部１５１とが合わさった空部に棒状体２０１を配置する。
第１突出部２０２を第１仕切り板１４ＡのＸ方向他方側の端部近傍の上縁部に形成された溝部１５１に配置し、第２突出部２０５を第２仕切り板１４ＢのＸ方向一方側の端部近傍の上縁部に形成された溝部１５１に配置し、棒状体２０１の上端部を第１仕切り板１４Ａおよび第２仕切り板１４Ｂよりも上方に突出させる。
【００４８】
続いて、第１突出部２０２の溝部２０２ｄに第１押さえ板２０３を配置する。第１固定具２０４を第１押さえ板２０３の孔部２０３ｅおよび第１突出部２０２の孔部２０２ｅに挿通し、第１固定具２０４を第１仕切り板１４Ａの孔部１５３に螺合させ、第１突出部２０２を第１仕切り板１４Ａに固定する。
第２突出部２０５の溝部２０５ｄに第２押さえ板２０６を配置する。第２固定具２０７を第２押さえ板２０６の孔部２０６ｅおよび第２突出部２０５の孔部２０５ｅに挿通し、第２固定具２０７を第２仕切り板１４Ｂの孔部１５３に螺合させ、第２突出部２０５を第２仕切り板１４Ｂに固定する。
【００４９】
このように第１突出部２０２が第１仕切り板１４Ａに固定され、第２突出部２０５が第２仕切り板１４Ｂに固定されると、第１仕切り板１４Ａと第２仕切り板１４Ｂとが連結部材２０を介して連結される。棒状体２０１は、第１仕切り板１４Ａおよび第２仕切り板１４Ｂの上端部よりも上方に突出している。
【００５０】
第２実施形態による連結部材２０は、第１接続部２０８が棒状体２０１に接続されているとともに、第１仕切り板１４Ａの上縁部に接続され、第２接続部２０９が棒状体２０１に接続されているとともに、第２仕切り板１４Ｂの上縁部に接続されるように構成されている。このため、隣接する第１仕切り板１４Ａと第２仕切り板１４Ｂとの間に棒状体２０１が上方に突出するように連結部材２０を設け、第１接続部２０８を第１仕切り板１４Ａに接続し、第２接続部２０９を第２仕切り板１４Ｂに接続することで、第１仕切り板１４Ａと第２仕切り板１４Ｂとの間から突出する棒状体２０１を設けつつも隣接する第１仕切り板１４Ａと第２仕切り板１４Ｂとを容易に連結することができる。
【００５１】
（第３実施形態）
図７に示すように、第３実施形態による連結部材３０は、Ｘ方向に隣り合う仕切り板１４Ａ，１４Ｂの下端部どうしを連結している。第１、第２実施形態と同様に、Ｘ方向に隣り合う仕切り板１４，１４のうちのＸ方向一方側に配置された仕切り板１４を第１仕切り板１４Ａとし、Ｘ方向他方側に配置された仕切り板１４を第２仕切り板１４Ｂとする。
第１仕切り板１４Ａの下縁部に形成された溝部１５１には、後述する第１固定具３０４が螺合可能な孔部１５４が形成され、第２仕切り板１４Ｂの下縁部に形成された溝部１５１には、後述する第２固定具３０７が螺合可能な孔部１５４が形成されている。
【００５２】
図８に示すように、連結部材３０は、第１仕切り板１４Ａと第２仕切り板１４Ｂとの間に配置され上下方向に延在するように配置される筒状の棒状体３０１と、棒状体３０１から第１仕切り板１４Ａ側（Ｘ方向一方側）に突出する第１突出部３０２と、第１突出部３０２を第１仕切り板１４Ａの下端部に固定する第１押さえ板３０３および第１固定具３０４と、棒状体３０１から第２仕切り板１４Ｂ側（Ｘ方向他方側）に突出する第２突出部３０５と、第２突出部３０５を第２仕切り板１４Ｂの下端部に固定する第２押さえ部３０６および第２固定具３０７と、を有している。
第１突出部３０２、第１押さえ板３０３および第１固定具３０４が第１接続部３０８に相当し、第２突出部３０５、第２押さえ部３０６および第２固定具３０７が第２接続部３０９に相当している。
【００５３】
棒状体３０１は、鋼製の部材で、Ｘ方向に隣り合う第１仕切り板１４Ａの第１溝部１５１Ａと第２仕切り板１４Ｂの第２溝部１５１Ｂとの間に配置されている。
棒状体３０１は、上端部が第１仕切り板１４Ａおよび第２仕切り板１４Ｂの下端部よりも上側に配置され、下端部が第１仕切り板１４Ａおよび第２仕切り板１４Ｂの下端部よりも下方に突出するように配置されている。棒状体３０１の上端部は、第１仕切り板１４Ａおよび第２仕切り板１４Ｂの上端部よりも下側に配置されている。
第３実施形態では、棒状体３０１は、下端部に床面１１に設置される接地部材３１０が連結されていて、接地部材３１０とともに第１仕切り体１４Ａおよび第２仕切り体１４Ｂを支持する脚部３１１として機能している。
【００５４】
第１突出部３０２は、棒状体３０１からＸ方向一方側に延びる第１水平部３０２ａと、第１水平部３０２ａのＸ方向一方側の端部に接続されＸ方向一方側に向かって漸次下側に向かう方向に傾斜して延びる傾斜部３０２ｂと、傾斜部３０２ｂのＸ方向一方側の端部に接続されＸ方向一方側に延びる第２水平部３０２ｃと、を有している。第１突出部３０２は、第１水平部３０２ａのＸ方向他方側の端部が棒状体３０１に溶接されている。
第１突出部３０２は、延在方向に直交する断面形状が下側に開口するＵ字状に形成され、第１水平部３０２ａ、傾斜部３０２ｂおよび第２水平部３０２ｃ全体にそれぞれ延在方向に沿って上側に窪み下側に開口する溝部３０２ｄが形成されている。
第２水平部３０２ｃには、第１固定具３０４が挿通される孔部３０２ｅが形成されている。
【００５５】
第１押さえ板３０３は、第１突出部３０２の溝部３０２ｄの内部に配置可能に構成されている。第１押さえ板３０３は、溝部３０２ｄに配置されると、第１水平部３０２ａの溝部３０２ｄに配置される平板状の第１水平板部３０３ａと、第１水平板部３０３ａのＸ方向一方側の端部と接続され傾斜部３０２ｂの溝部３０２ｄに配置される平板状の傾斜板部３０３ｂと、傾斜板部３０３ｂのＸ方向一方側の端部と接続され第２水平部３０２ｃの溝部３０２ｄ配置される平板状の第２水平板部３０３ｃと、を有している。
第２水平板部３０３ｃには、第１固定具３０４が挿通される孔部３０３ｅが形成されている。
【００５６】
第２突出部３０５は、棒状体３０１からＸ方向他方側に延びる第１水平部３０５ａと、第１水平部３０５ａのＸ方向他方側の端部に接続されＸ方向一方側に向かって漸次下側に向かう方向に傾斜して延びる傾斜部３０５ｂと、傾斜部３０５ｂのＸ方向他方側の端部に接続されＸ方向他方側に延びる第２水平部３０５ｃと、を有している。第２突出部３０５は、第１水平部３０５ａのＸ方向一方側の端部が棒状体３０１に溶接されている。
第２突出部３０５は、延在方向に直交する断面形状が下側に開口するＵ字状に形成され、第１水平部３０５ａ、傾斜部３０５ｂおよび第２水平部３０５ｃ全体にそれぞれ延在方向に沿って上側に窪み下側に開口する溝部３０５ｄが形成されている。
第２水平部３０５ｃには、第２固定具３０７が挿通される孔部３０５ｅが形成されている。
【００５７】
第２押さえ板３０６は、第２突出部３０５の溝部３０５ｄの内部に配置可能に構成されている。第２押さえ板３０６は、溝部３０５ｄに配置されると、第１水平部３０５ａの溝部３０５ｄに配置される平板状の第１水平板部３０６ａと、第１水平板部３０６ａのＸ方向他方側の端部と接続され傾斜部３０５ｂの溝部３０５ｄに配置される平板状の傾斜板部３０６ｂと、傾斜板部３０６ｂのＸ方向一方側の端部と接続され第２水平部３０５ｃの溝部３０５ｄ配置される平板状の第２水平板部３０６ｃと、を有している。
第２水平板部３０６ｃには、第２固定具３０７が挿通される孔部３０６ｅが形成されている。
【００５８】
連結部材３０を用いてＸ方向に隣り合う第１仕切り板１４Ａと第２仕切り板１４Ｂとを連結する方法について説明する。
隣り合う第１仕切り板１４Ａと第２仕切り板１４Ｂとの間に連結部材３０を配置する。このとき、隣り合う第１仕切り板１４Ａおよび第２仕切り板１４Ｂのそれぞれ対向する端部に形成された第１溝部１５１Ａと第２溝部１５１Ｂを突き合わせるように配置し、第１溝部１５１Ａと第２溝部１５１Ｂとが合わさった空部に棒状体３０１を配置する。
第１突出部３０２を第１仕切り板１４ＡのＸ方向他方側の端部近傍の下縁部に形成された溝部１５１に配置し、第２突出部３０５を第２仕切り板１４ＢのＸ方向一方側の端部近傍の下縁部に形成された溝部１５１に配置し、棒状体３０１の下端部を第１仕切り板１４Ａおよび第２仕切り板１４Ｂよりも下方に突出させる。
【００５９】
続いて、第１突出部３０２の溝部３０２ｄに第１押さえ板３０３を配置する。第１固定具３０４を第１押さえ板３０３の孔部３０３ｅおよび第１突出部３０２の孔部３０２ｅに挿通し、第１固定具３０４を第１仕切り板１４Ａの孔部１５４に螺合させ、第１突出部３０２を第１仕切り板１４Ａに固定する。
第２突出部３０５の溝部３０５ｄに第２押さえ板３０６を配置する。第２固定具３０７を第２押さえ板３０６の孔部３０６ｅおよび第２突出部３０５の孔部３０５ｅに挿通し、第２固定具３０７を第２仕切り板１４Ｂの孔部１５４に螺合させ、第２突出部３０５を第２仕切り板１４Ｂに固定する。
【００６０】
このように第１突出部３０２が第１仕切り板１４Ａに固定され、第２突出部２０５が第２仕切り板１４Ｂに固定されると、第１仕切り板１４Ａと第２仕切り板１４Ｂとが連結部材３０を介して連結される。棒状体３０１は、第１仕切り板１４Ａおよび第２仕切り板１４Ｂの下端部よりも下方に突出している。
【００６１】
第１仕切り板１４ＡのＸ方向一方側の端部の溝部１５１と、第２仕切り板１４ＢのＸ方向他方側の端部の溝部１５１には、それぞれ棒状体２０１と同じ径のエンド用棒状体１８１，１８１が挿入され、第１仕切り板１４Ａおよび第２仕切り板１４Ｂに固定されている。エンド用棒状体１８１，１８１は、上端部が第１仕切り板１４Ａおよび第２仕切り板１４Ｂの上端部と略同じ位置に配置され、下端部が第１仕切り板１４Ａおよび第２仕切り板１４Ｂの下端部よりも下側に突出している。エンド用棒状体１８１，１８１の下端部には、それぞれ棒状体３０１の下端部に取り付けられた接地部材３１０と同様の接地部材１８２，１８２が設けられている。
エンド用棒状体１８１，１８１が床面１１に設置された接地部材１８２，１８２立設するとともに、棒状体が床面１１に設置された接地部材３１０に立設した状態でそれぞれ第１仕切り板１４Ａおよび第２仕切り板１４Ｂと連結されることにより、第１仕切り体１４Ａおよび第２仕切り体１４Ｂがエンド用棒状体１８１，１８１および連結部材３０に支持された状態で設置される。
【００６２】
第３実施形態による連結部材３０は、第１接続部３０８が棒状体３０１に接続されているとともに、第１仕切り板１４Ａの下縁部に接続され、第２接続部３０９が棒状体３０１に接続されているとともに、第２仕切り板１４Ｂの下縁部に接続されるように構成されている。このため、隣接する第１仕切り板１４Ａと第２仕切り板１４Ｂとの間に棒状体３０１が下方に突出するように連結部材３０を設け、第１接続部３０８を第１仕切り板１４Ａに接続し、第２接続部３０９を第２仕切り板１４Ｂに接続することで、第１仕切り板１４Ａと第２仕切り板１４Ｂとの間から突出する棒状体３０１を設けつつも隣接する第１仕切り板１４Ａと第２仕切り板１４Ｂとを容易に連結することができる。
【００６３】
以上、本発明による連結部材の実施形態について説明したが、本発明は上記の実施形態に限定されるものではなく、その趣旨を逸脱しない範囲で適宜変更可能である。
例えば、上記の実施形態では、棒状体１０１，２０１，３０１は、中空の筒状に形成されているが、中実の棒状に形成されていてもよい。
また、上記の実施形態では、棒状体１０１，２０１，３０１は、上下方向に延在する向きに配置されているが、前記第１板状体の端部および前記第２板状体の端部が水平方向など上下方向以外に延在していて、これらの端部に沿って延在する向きに配置されていてもよい。
また、棒状体１０１，２０１，３０１が筒状に形成され上下方向に延在する様に配置されている場合、支柱などの部材が棒状体１０１，２０１，３０１を挿通するとともに床面に立設していてもよい。これにより、棒状体１０１，２０１，３０１に挿通された部材が床面に支持され、棒状体１０１，２０１，３０１に挿通された部材を連結部材１０，２０，３０で支持する場合と比べて、連結部材１０，２０，３０の強度を小さくすることができるため、連結部材１０，２０，３０の小型化や軽量化を図ることができる。
【００６４】
また、上記の第１実施形態では、棒状体１０１と第１メインフレーム３Ａおよび第２メインフレーム３Ｂとを連結する連結部１０７，１０７が２つ設けられていて、棒状体１０１と第１メインフレーム３Ａおよび第２メインフレーム３Ｂとが異なる高さの２つの位置で連結されているが、連結部１０７の数は１つでもよいし３つ以上でもよい。
また、上記の実施形態では、仕切り板１４の外周部に溝部１５１が形成され、棒状体１０１，２０１，３０１が隣り合う仕切り板１４，１４の溝部１５１の内部に配置されて、棒状体１０１，２０１，３０１の仕切り板１４，１４の間に配置された部分が外部に露出しないように構成されている。これに対し、仕切り板１４，１４の外周部に溝部１５１が形成されておらず、棒状体１０１，２０１，３０１の仕切り板１４，１４の間に配置された部分が外部に露出していてもよい。また、仕切り板の形状は適宜設定されてよい。
【００６５】
また、第１実施形態の連結部材１０の上部側が第２実施形態の連結部材２０のように仕切り板１４，１４の上端部どうしを連結可能に構成されていてもよいし、第３実施形態の連結部材１０の上部側が第２実施形態の連結部材２０のように仕切り板１４，１４の上端部どうしを連結可能に構成されていてもよい。
【符号の説明】
【００６６】
１  配線収容什器
３Ａ  第１メインフレーム（第１板状体）
３Ｂ  第２メインフレーム（第２板状体）
１０，２０，３０  連結部材
１４Ａ  第１仕切り板（第１板状体）
１４Ｂ  第２仕切り板（第２板状体）
１５Ａ  第１溝部
１５Ｂ  第２溝部
１０１，２０１，３０１  棒状体
１０５，２０５，３０５  第１接続部
１０６，２０６，３０６  第２接続部
【図１】
2017218861.tif 000003
【図２】
2017218861.tif 000004
【図３】
2017218861.tif 000005
【図４】
2017218861.tif 000006
【図５】
2017218861.tif 000007
【図６】
2017218861.tif 000008
【図７】
2017218861.tif 000009
【図８】
2017218861.tif 000010